(57)【要約】  【課題】分離部を取り付けないままの状態での誤使用を防止できる集塵カップを提供する。  【解決手段】分離部44を有する分離体16を集塵部本体15に取り付けていない状態では、開閉蓋17が廃棄開口23を閉塞しないので、開閉蓋17が廃棄開口23を閉塞しないことにより分離部44を集塵部本体15に取り付けていないことを作業者に報知でき、分離体16を集塵部本体15に取り付けないままの状態で集塵カップ３を誤使用してしまうことを防止できる。  【選択図】図１
2007061437.tif 000002
【特許請求の範囲】
【請求項１】
電動送風機の駆動により吸い込まれた塵埃を捕集する電気掃除機用集塵装置であって、
吸込開口および捕集した塵埃を廃棄する廃棄開口を備えた集塵部本体と、
この集塵部本体内に着脱可能に設けられ、前記吸込開口から吸い込まれた塵埃を粗塵と細塵とに分離する分離部と、
前記廃棄開口を開閉可能な集塵部蓋体とを具備し、
前記集塵部蓋体は、前記分離部を前記集塵部本体に取り付けていない状態では前記廃棄開口を閉塞しない
ことを特徴とした電気掃除機用集塵装置。
【請求項２】
電動送風機の駆動により吸い込まれた塵埃を捕集する電気掃除機用集塵装置であって、
吸込開口および前記電動送風機の吸込側に連通する排気口を備えた集塵部本体と、
この集塵部本体内に着脱可能に設けられ、前記吸込開口から吸い込まれた塵埃を粗塵と細塵とに分離する分離部と、
前記排気口に着脱可能に設けられ、前記分離部で分離された細塵を捕集するフィルタ体とを具備し、
前記フィルタ体は、前記分離部を前記集塵部本体に取り付けていない状態では前記排気口に取り付けられない
ことを特徴とした電気掃除機用集塵装置。
【請求項３】
電動送風機、この電動送風機の吸込側に連通し請求項１記載の電気掃除機用集塵装置を着脱可能な集塵室、および、この集塵室を開閉可能な蓋体を備えた掃除機本体を具備し、
前記蓋体は、前記電気掃除機用集塵装置の集塵部蓋体が廃棄開口を閉塞していない状態では前記集塵室を閉塞しない
ことを特徴とした電気掃除機。
【請求項４】
電動送風機、および、この電動送風機の吸込側に連通し請求項１記載の電気掃除機用集塵装置を着脱可能な集塵室を備えた掃除機本体を具備し、
前記電気掃除機用集塵装置は、集塵部蓋体が廃棄開口を閉塞していない状態では前記集塵室に取り付けられない
ことを特徴とした電気掃除機。
【請求項５】
電動送風機、この電動送風機の吸込側に連通し請求項２記載の電気掃除機用集塵装置を着脱可能な集塵室、および、この集塵室を開閉可能な蓋体を備えた掃除機本体を具備し、
前記蓋体は、前記電気掃除機用集塵装置のフィルタ体が排気口に取り付けられていない状態では前記集塵室を閉塞しない
ことを特徴とした電気掃除機。
【請求項６】
電動送風機、この電動送風機の吸込側に連通し請求項２記載の電気掃除機用集塵装置を着脱可能な集塵室を備えた掃除機本体を具備し、
前記電気掃除機用集塵装置は、フィルタ体が排気口に取り付けられていない状態では前記集塵室に取り付けられない
ことを特徴とした電気掃除機。
【発明の詳細な説明】
【技術分野】
【０００１】
本発明は、電動送風機の駆動により吸い込まれた塵埃を捕集する電気掃除機用集塵装置およびこれを備えた電気掃除機に関する。
【背景技術】
【０００２】
従来、この種の電気掃除機は、電動送風機を収容した掃除機本体を備えている。この掃除機本体の前部には、電動送風機の吸込側に連通する集塵室が設けられ、この集塵室には、集塵装置としての集塵カップが着脱可能に設けられている。この集塵カップは、吸込開口、排気口および廃棄開口を有する集塵カップ本体と、廃棄開口を開閉可能な開閉蓋とを備え、集塵カップ本体内には、電動送風機の駆動により空気とともに吸込開口から吸い込まれた塵埃を比較的重量が大きい粗塵と、比較的重量が小さい細塵とに直進慣性により分離する分離部と、この分離部により分離された粗塵を収容する粗塵収容部とが設けられている。そして、分離部は、吸込開口の下流側に連通するとともに粗塵収容部の上流側に連通する略円筒状に形成され、径方向に穿設された複数の通気孔のそれぞれに、細塵を捕集するメッシュ状のフィルタが取り付けられている。また、集塵カップ本体の排気口には、メッシュフィルタで除去できなかった微細塵を除去するプリーツ状のプリーツフィルタを備えたフィルタ体が着脱可能に設けられている（例えば、特許文献１参照。）。
【特許文献１】特開２００４−１４７９６４号（第３−５頁、図３）
【発明の開示】
【発明が解決しようとする課題】
【０００３】
上記のような電気掃除機では、使用に伴い、メッシュフィルタが目詰まりすることがあり、このメッシュフィルタが目詰まりすると、吸塵性能が低下してしまう。
【０００４】
一方で、分離部は、集塵カップ本体内で、吸込開口、排気口および廃棄開口のいずれからも離間された位置に設けられているため、これら吸込開口、排気口および廃棄開口からでは直接メッシュフィルタを掃除することが容易でない。
【０００５】
このため、メッシュフィルタを容易に掃除できるように、分離部を集塵カップ本体から取り外し可能に構成することが好ましい。
【０００６】
しかしながら、分離部を集塵カップ本体から取り外しできるようにすると、目詰まりを掃除するために分離部を取り外した後、この分離部を集塵カップ本体に対して取り付け忘れたまま集塵カップを使用するおそれがあるという問題点を有している。
【０００７】
本発明は、このような点に鑑みなされたもので、分離部を取り付けないままの状態での誤使用を防止できる電気掃除機用集塵装置およびこれを備えた電気掃除機を提供することを目的とする。
【課題を解決するための手段】
【０００８】
本発明は、電動送風機の駆動により吸い込まれた塵埃を捕集する電気掃除機用集塵装置であって、吸込開口および捕集した塵埃を廃棄する廃棄開口を備えた集塵部本体と、この集塵部本体内に着脱可能に設けられ、吸込開口から吸い込まれた塵埃を粗塵と細塵とに分離する分離部と、廃棄開口を開閉可能な集塵部蓋体とを具備し、この集塵部蓋体が、分離部を集塵部本体に取り付けていない状態では廃棄開口を閉塞しないものである。
【０００９】
また、本発明は、吸込開口および電動送風機の吸込側に連通する排気口を備えた集塵部本体と、この集塵部本体内に着脱可能に設けられ、吸込開口から吸い込まれた塵埃を粗塵と細塵とに分離する分離部と、排気口に着脱可能に設けられ、分離部で分離された細塵を捕集するフィルタ体とを具備し、分離部を集塵部本体に取り付けていない状態ではフィルタ体を排気口に取り付けられないものである。
【発明の効果】
【００１０】
本発明によれば、分離部を集塵部本体に取り付けていない状態では、集塵部蓋体が廃棄開口を閉塞しないので、分離部を取り付けないままの状態での誤使用を防止できる。
【００１１】
また、本発明によれば、分離部を集塵部本体に取り付けていない状態では、排気口にフィルタが取り付けられないので、分離部を取り付けないままの状態での誤使用を防止できる。
【発明を実施するための最良の形態】
【００１２】
以下、本発明の第１の実施の形態の電気掃除機の構成を図１ないし図１４を参照して説明する。
【００１３】
図１４において、１は掃除機本体で、この掃除機本体１は、内部に収容された電動送風機２の駆動にて生じる吸込風とともに吸い込んだ塵埃を電気掃除機用集塵装置としての集塵カップ３で分離して集塵する電気掃除機であり、被掃除面としての床面上を走行可能である。
【００１４】
また、掃除機本体１は、電動送風機２を収容した本体ケース４と、この本体ケース４の前側に区画形成された集塵室Ｒの上部に連通する開口５を回動により開閉可能とする蓋体としての本体蓋６とを備えている。
【００１５】
そして、掃除機本体１の前部には、集塵室Ｒに連通し外部から空気を吸引する本体吸込口７が開口されている。この本体吸込口７には、可撓性を有し湾曲可能な細長略円筒状のホース体８が連通接続されている。このホース体８の先端には、電動送風機２の動作モードなどが選択可能な手元操作部９が設けられている。この手元操作部９には、作業者が把持する手元把持部10が突設され、この手元把持部10には、電動送風機２などを複数の動作モードに設定する複数の設定ボタン11が設けられている。
【００１６】
また、手元操作部９の先端には、伸縮可能な細長略円筒状の延長管12が着脱可能に連通接続されている。さらに、この延長管12の先端には、例えば室内の床面の絨毯などの上に載置され、絨毯などの上の塵埃を吸い込む吸込口体としての床ブラシ13が着脱可能に連通接続されている。
【００１７】
さらに、掃除機本体１内には、電動送風機２などに外部の商用交流電源から給電可能な電源コード14が引き出し可能に収納されている。
【００１８】
電動送風機２は、手元操作部９の設定ボタン11などが電気的に接続された図示しない制御回路により駆動を制御される。
【００１９】
そして、集塵カップ３は、図１ないし図９に示すように、中空な略直方体状の集塵部本体15と、この集塵部本体15内に着脱可能に設けられた分離体16と、集塵部本体15に回動可能に取り付けられた集塵部蓋体としての開閉蓋17と、集塵部本体15に着脱可能に設けられたフィルタ体18とを備えている。なお、以下、集塵カップ３の上流側を前側、下流側を後側とする。
【００２０】
集塵部本体15は、この集塵部本体15内に空気とともに塵埃を吸い込む吸込開口21を区画する円筒状の円筒部22が前部に突設され、下端部に、開閉蓋17により開閉される廃棄開口23が開口されるとともに、後部に、フィルタ体18が着脱される排気口24を区画するフィルタ装着部25が上側へと拡開するように形成されている。また、集塵部本体15の上部には、集塵カップ３を把持するための把持ハンドル部26が、フィルタ装着部25の前方にて左右方向に設けられている。
【００２１】
さらに、集塵部本体15の内壁には、分離体16を集塵部本体15内に取り付けた際にこの分離体16を集塵部本体15内に保持するとともに位置決めする保持枠部27が形成されている。同様に、集塵部本体15の下端側である廃棄開口23の周囲には、分離体16を集塵部本体15内に取り付けた際にこの分離体16の下端側を集塵部本体15内に保持するとともに位置決めする嵌合段部28が形成されている。そして、集塵部本体15の前部は、上側から下側、すなわち把持ハンドル部26側から廃棄開口23側へと、拡開するように傾斜している。
【００２２】
円筒部22は、前端部である吸込開口21の周囲にフランジ部31が突設されており、集塵カップ３を掃除機本体１の集塵室Ｒ（図１０）に取り付けた際に、吸込開口21が本体吸込口７の下流側に気密に接続される突出寸法を有している。
【００２３】
廃棄開口23は、集塵カップ３で捕集した塵埃を外部へと廃棄可能にする開口である。
【００２４】
排気口24は、集塵カップ３内を通過した空気が電動送風機２の吸込側へと排気される開口であり、正面視で四角形状に形成されている。この排気口24は、集塵部本体15から拡開されたフィルタ装着部25にて区画形成されている。
【００２５】
フィルタ装着部25は、集塵カップ３を掃除機本体１の集塵室Ｒ（図１０）に取り付けた際に、排気口24が電動送風機２の吸込側へと連通するように形成された四角形枠状の部分である。
【００２６】
保持枠部27は、分離体16の上端部を保持して集塵部本体15内に固定するもので、断面鉤状に形成されている。また、この保持枠部27は、集塵部本体15の両側部に延設されるとともに集塵部本体15の後部から下方へと延設され、廃棄開口23の後側の縁部となる区画壁部36に連続している。この区画壁部36は、集塵部本体15の下端部にて、この集塵部本体15の左右方向に亘って延設されている。また、この区画壁部36とフィルタ装着部25との間には、前後方向に沿うリブ38が左右方向に複数形成されている。したがって、これらリブ38により、フィルタ装着部25と嵌合段部28との間には、上下方向に貫通する複数の塵落とし孔39が形成されている。
【００２７】
嵌合段部28は、図１および図２に示すように、集塵部本体15の前部およびフィルタ装着部25の両側部に亘って連続している。すなわち、嵌合段部28は、廃棄開口23の上方にて、この廃棄開口23の両側部および前側に亘って形成されている。また、この嵌合段部28は、フィルタ装着部25の前側に連続して集塵部本体15の外側面に対して略水平状に突設された水平部28aと、この水平部28aの先端から下方へと略垂直状に延設された垂直部28bとにより形成されている。
【００２８】
分離体16は、図１、図３および図４に示すように、中空な略直方体状の分離体本体41を備え、この分離体本体41には、下端部に開口部42が形成され、上部の幅方向中央部に、前後に亘って凹状の分離部用凹部43が形成され、この分離部用凹部43の上方に、吸込開口21から空気とともに吸い込まれた塵埃を粗塵と細塵とに直進慣性により分離する略円筒状の分離部44を分離部用凹部43との間で形成する整流体45が取り付けられている。
【００２９】
また、この分離体本体41の分離部用凹部43の底面後部には、連通開口46が穿設されている。このため、分離体本体41の分離部用凹部43の下方には、分離体16を集塵部本体15内に取り付けた状態で、分離部44にて分離された粗塵が収容される粗塵収容部47が区画される。さらに、分離体本体41の分離部用凹部43の両側上方に位置した上面には、例えば複数の通気孔48がそれぞれ形成されている。また、この分離体本体41の後面には、分離部用凹部43の両側部および下部に、複数の圧縮用通気孔49がそれぞれ形成されている。そして、この分離体16は、廃棄開口23から集塵部本体15内へと着脱される。
【００３０】
また、分離体16の開口部42の上方全周には、分離体16を集塵部本体15内に取り付けた状態で一部が嵌合段部28に嵌合される被嵌合部51が、開口部42側へと拡開するように形成されている。
【００３１】
被嵌合部51は、分離体本体41の一側部から前側、他側部および後側に亘って連続し、後部一側に設けられた切欠部52にて不連続となっている。そして、被嵌合部51は、分離体本体41から略水平状に突設された被嵌合水平部51aと、この被嵌合水平部51aの先端から下方へと略垂直状に延設された被嵌合垂直部51bとにより形成されている。
【００３２】
被嵌合水平部51aには、分離体本体41の両側部および前側にて、補強用の補強リブ51cが分離体本体41との間に複数設けられている。また、被嵌合水平部51aには、解除突出部としてのロック解除リブ51dが突設されている。このロック解除リブ51dは、区画壁部36に設けられ分離体16の集塵部本体15への着脱およびフィルタ体18の集塵部本体15への着脱を検出可能な検出機構部53（図６）に係合可能なものであり、分離体本体41の後側の一側部にて被嵌合水平部51aから上方向に向けて略直方体状に突設され、分離体本体41の左右幅方向中心側の側面が、上方向へとロック解除リブ51dが幅狭となるように傾斜したリブ傾斜面51eとなっている。
【００３３】
被嵌合垂直部51bは、分離体本体41の両側部および前側において嵌合段部28の垂直部28bの内側に位置し、後側部において区画壁部36の内側に位置している。
【００３４】
そして、検出機構部53は、図６ないし図９に示すように、横長の収容室54と、この収容室54に摺動可能に収容された検出体55とを備えている。
【００３５】
収容室54は、後板となる区画壁部36、この区画壁部36から前方へと水平状に突設された底板54a、この底板54aの前端部から上方に突設された前板54b、これら底板54aと前板54bとの左右幅方向中心側の側部に連続する側板54c、および、これら区画壁部36、前板54bおよび側板54cの上部に嵌合される蓋板54dにより横長に区画され、側板54cと反対側である一側部に、突出開口部54eが開口形成されている。
【００３６】
この収容室54を区画する区画壁部36の上端部には、検出体55の一部が嵌合する横長角孔状の切欠孔部36aが切り欠き形成されている。この切欠孔部36aは、検出体55の最大ストロークを設定するものである。
【００３７】
底板54aには、ロック解除リブ51dが挿入される横長角孔状の挿入孔部54fが穿設されている。
【００３８】
蓋板54dには、ロック解除リブ51dが挿入されて上方に突出する横長角孔状の突出挿入孔部54gが、切欠孔部36aおよび挿入孔部54fに対応する位置に穿設されている。
【００３９】
一方、検出体55は、収容室54に収容される横長状の検出体本体55aと、この検出体本体55aの一側部から突設された第１分離部着脱報知部としての分離部用ロック部55bと、検出体本体55aの後部から突設され切欠孔部36aに挿入された第２分離部着脱報知部としてのフィルタ体用ロック部55cと、上下方向に穿設されロック解除リブ51dを挿入可能な係止挿入孔55dとを有している。
【００４０】
検出体本体55aは、側板54cとの間に配設された付勢手段としてのばね56が保持されるばね保持部55eが突設され、このばね56により突出開口部54e側へと付勢されている。
【００４１】
分離部用ロック部55bは、下方に延設された延設部55fと、この延設部55fから側方に延設された側方延設部55gとを有し、突出開口部54eから収容室54の外部へと突出している。
【００４２】
延設部55fの下端部および側方延設部55gは、分離体16を集塵部本体15に取り付けた状態でそれぞれ切欠部52に嵌合する。また、側方延設部55gは、分離体本体41の一側下端部に切り欠き形成された角孔状の嵌合切欠部57に対して進退可能に設けられている。
【００４３】
また、フィルタ体用ロック部55cは、検出体本体55aから略水平に突出し上下方向に長手状の後方突出部55hと、この後方突出部55hから側方に延設された補強用の補強突出部55iとを有する正面視で略Ｔ字状に形成され、切欠孔部36aから後方へと突出している。
【００４４】
係止挿入孔55dは、角孔状に形成され、左右幅方向の中心側の側面が、上方向へと係止挿入孔55dが幅狭となるように傾斜したガイド傾斜面55jとなっている。このガイド傾斜面55jは、ロック解除リブ51dのリブ傾斜面51eと当接することにより、分離体16の集塵部本体15に対する着脱操作に対応してロック解除リブ51dが進退することで、その傾斜に応じて検出体55を収容室54内で左右方向に摺動させるものである。
【００４５】
この結果、検出体55は、分離体16を集塵部本体15に取り付けない場合に、図７に示す所定位置（第１ロック位置）となり、分離体16およびフィルタ体18のそれぞれを集塵部本体15に取り付けた状態でフィルタ体18を取り外した場合に、図９に示す所定位置（第２ロック位置）となるとともに、分離体16を集塵部本体15に取り付けた場合に、図８に示す所定位置（ロック解除位置）となる。
【００４６】
したがって、分離部用ロック部55bは、各ロック位置では嵌合切欠部57から側方延設部55gが突出し、ロック解除位置では嵌合切欠部57よりも内側に側方延設部55gが位置することで、分離部44を有する分離体16を集塵部本体15に着脱した状態を、嵌合切欠部57からの側方延設部55gの突出状態、すなわち、開閉蓋17にて廃棄開口23を閉塞可能であるかどうかにより報知可能となっている。同様に、フィルタ体用ロック部55cは、第１ロック位置ではフィルタ体18を集塵部本体15に取り付けできない位置に突出し、ロック解除位置ではフィルタ体18を集塵部本体15に取り付け可能な位置に突出することで、分離部44を有する分離体16を集塵部本体15に着脱した状態を、フィルタ体18が取り付け可能であるかどうかにより報知可能となっている。
【００４７】
図１、図３および図４に戻って、開口部42は、分離体16を集塵部本体15内に取り付けた状態で、廃棄開口23の内周に嵌合し、この廃棄開口23と連通するものである。
【００４８】
分離部用凹部43は、整流体45とともに、分離部44を通過する風速が大きくなるように、この分離部44が前側から後側へ、すなわち上流側から下流側へと縮径されるように形成されている。
【００４９】
分離部44は、前端部が吸込開口21よりも大きく形成されている。
【００５０】
整流体45は、分離部用凹部43の両側部にそれぞれ設けられた段差部58に両側部がそれぞれ載置され、かつ、後部に設けられた断面コ字状の係合部59が連通開口46の上縁部の後部に嵌合することで、分離体本体41に固定されている。また、この整流体45の前端部には、保持枠部27により保持固定されるフランジ部60が突設されている。さらに、この整流体45には、周方向に複数の分離部用通気孔61が穿設され、これら分離部用通気孔61にメッシュ状のメッシュフィルタ62がそれぞれ取り付けられている。
【００５１】
そして、この整流体45は、フランジ部60に図示しないパッキンが嵌合されており、分離体16を集塵部本体15内に取り付けた状態で保持枠部27に係止保持されることで、分離部44が吸込開口21の下流側に気密に接続される。
【００５２】
連通開口46は、分離部用凹部43の後部に対して、左右方向に広くなるように形成されている。また、この連通開口46の周縁部は、下方に突設されて整流部63を形成している。この整流部63は、分離部44で分離された粗塵を粗塵収容部47へとガイドするとともに粗塵収容部47に収容された塵埃がこの粗塵収容部47内で回らないように整流するものである。
【００５３】
粗塵収容部47は、分離部44の下方に設けられた空間部であり、開閉蓋17を開けた状態で廃棄開口23を介して集塵カップ３の外部に連通するものである。
【００５４】
通気孔48の間には、リブ64が左右方向に架け渡して形成されている。そして、これら通気孔48のそれぞれには、メッシュ状のフィルタ65が取り付けられている。
【００５５】
圧縮用通気孔49の間には、リブ66がそれぞれ架け渡して形成されている。このため、圧縮用通気孔49は、格子状に形成されている。そして、これら圧縮用通気孔49のそれぞれには、メッシュ状の圧縮用フィルタ67が取り付けられている。これら圧縮用フィルタ67は、通過する空気により粗塵収容部47に収容された粗塵が押し付けられることで、これら粗塵を圧縮して粗塵の容積を低下させるものである。
【００５６】
開閉蓋17は、図１および図２に示すように、廃棄開口23の形状に対応して横長に形成され、図２に示す集塵部本体15の左側部に設けられた図示しない一対の軸受部に回動可能に軸支される図示しない一対の被軸支部がそれぞれ突設されているとともに、嵌合切欠部57に嵌合して集塵部本体15の図２に示す右側部にて把持ハンドル部26よりも後側に取り付けられた開閉機構部68に係脱される係脱突部69が突設されている。また、開閉蓋17の上面には、廃棄開口23の周囲と塵落とし孔39全体の周囲とのそれぞれに当接して気密を保つパッキン71，72が取り付けられている。
【００５７】
ここで、開閉機構部68は、内部に図示しないギア列などを備えており、上側の側部に、これらギア列を操作して開閉蓋17の係脱突部69の係合を保持／解除する開閉ボタン74が露出している。
【００５８】
また、パッキン71は、開閉蓋17を閉じた状態で粗塵収容部47の下縁部を囲むものである。
【００５９】
フィルタ体18は、フィルタとしての細塵側フィルタであるプリーツフィルタ75と、このプリーツフィルタ75を保持してフィルタ装着部25に着脱可能に取り付ける取付枠76と、プリーツフィルタ75の下流側面に取り付けられた図示しない塵落とし機構部とを備え、フィルタ装着部25にて排気口24に前後方向に着脱可能となっている。
【００６０】
プリーツフィルタ75は、正面視で略四角形状に形成され、左右方向に亘って前後方向に交互に湾曲されたプリーツ状となっている。そして、このプリーツフィルタ75は、分離体16の分離部44のメッシュフィルタ62よりも面積が大きく形成されている。
【００６１】
取付枠76は、プリーツフィルタ75の外周縁を囲むもので、フィルタ装着部25の内面に当接する部分に、フィルタパッキン77が取り付けられるパッキン取付凹部78が全周に亘って形成されている。さらに、取付枠76の上部には、フィルタ体18をフィルタ装着部25すなわち集塵部本体15に係止する係止部79が突設されている。そして、取付枠76のプリーツフィルタ75の下方には、塵落とし機構部にて落とされたプリーツフィルタ75の細塵を、塵落とし孔39を介して、開閉蓋17とフィルタ装着部25および嵌合段部28との間に形成された細塵収容部80へと落とす塵落とし傾斜面81が設けられ、この塵落とし傾斜面81の一側部には、フィルタ体用ロック部55cが嵌合可能な囲み部82（図５ないし図９）が区画形成されている。
【００６２】
係止部79は、取付枠76から後方上側に突設され、正面視で上側に凸状の半円形状に形成されている。また、この係止部79には、前後方向に係合孔83が穿設されており、この係合孔83には、フィルタ体18をフィルタ装着部25の内部に装着した状態で、フィルタ装着部25の上部から後方へと湾曲して突設された係止突部84が挿入されてフィルタ体18を集塵部本体15に係止する部分である。さらに、この係止部79は、フィルタ体18を集塵部本体15から取り外す際に作業者が摘む取手ともなる部分である。
【００６３】
細塵収容部80は、開閉蓋17を閉じた状態でパッキン71とパッキン72とにより下縁部が囲まれている。
【００６４】
塵落とし傾斜面81は、前側に向けて下方に傾斜するように形成されている。
【００６５】
囲み部82は、図５に示すように、塵落とし傾斜面81の前側に突設された囲み壁部82a，82b，82cにより両側部および上部が略四角形状に囲まれ、前側および下側に開口している。さらに、この囲み部82は、フィルタ体18を集塵部本体15に取り付けた状態で区画壁部36の切欠孔部36aに対向する位置に設けられている。そして、この囲み部82は、図７ないし図９に示すように、フィルタ体18を集塵部本体15のフィルタ装着部25に取り付けた状態で、囲み壁部82aの内縁と嵌合段部28の垂直部28bの外側との距離L1が、検出体55のフィルタ体用ロック部55cの図７ないし図９に示す右側、すなわち、ばね56の反対側と側方延設部55gの先端との距離L2よりも小さく、かつ、囲み壁部82bの内縁と嵌合段部28の垂直部28bの外側との距離L3が、検出体55のフィルタ体用ロック部55cのばね56の反対側と側方延設部55gの先端との距離L4よりも大きくなるように設定されている。また、囲み壁部82cは、前側に向けて下方に傾斜するように寸法が設定されている。
【００６６】
塵落とし機構部は、プリーツフィルタ75で捕集した塵埃を、細塵収容部80へと落とすものであり、取付枠76の両側部に亘って摺動可能に設けられている。
【００６７】
一方、本体ケース４は、図１０ないし図１４に示すように、上側を開口した下ケース85と、この下ケース85の後部上側に取り付けられた上ケース86とを備えている。
【００６８】
下ケース85は、前側下部に図示しない旋回輪が旋回可能に設けられているとともに、一対の従動輪87が両側部に回転自在に設けられている。
【００６９】
上ケース86は、下ケース85の上側開口の後側を閉塞するように取り付けられているものであり、表面側である上側に、掃除機本体１を把持操作し前後方向に回動自在に設けられた操作用のＵ字状のハンドル体88を収容可能とするＵ字状の収容凹部89が設けられているとともに、この収容凹部89に囲まれた内側に、内側部91が形成されている。
【００７０】
内側部91の後端部の両側部には、本体蓋６の後端部が回動可能に軸支される蓋軸支凹部92が形成されている。また、この内側部91には、プリーツフィルタ75の目詰まりを報知する略円柱状の目詰まり報知部93が突設されている。さらに、内側部91の前部は、集塵室Ｒの後端部を区画する壁部の一部を形成し、この前部の左右方向の中心域には、嵌合凹部94が形成されている。そして、内側部91の前端部の嵌合凹部94の下方には、集塵室Ｒ内へと若干突出し、電動送風機２の吸込側に位置する格子状の微細塵フィルタ95の周囲を保持するフィルタ枠部96が設けられている。
【００７１】
各蓋軸支凹部92は、本体ケース４の幅方向中心側へとそれぞれ凹状に形成されている。
【００７２】
目詰まり報知部93は、電動送風機２の駆動などを制御する制御回路に接続され、この制御回路にて検知されたプリーツフィルタ75（図１）の目詰まり状態に応じて点灯あるいは点滅する。
【００７３】
嵌合凹部94は、平面視で四角形状の底面部97と、この底面部97の両側部から立ち上がる側壁部98，98と、底面部97の後部から立ち上がり側壁部98，98間に連続する後壁部99とを備え、前側および上側が開口するように形成されている。
【００７４】
さらに、底面部97の前部には、両側壁部98，98間に亘って連続する溝部101が形成されている。このため、底面部97には、集塵室Ｒの後端部と略面一でかつ溝部101の前側壁となる突出部102が前端部に形成されているとともに、溝部101の後側に、この溝部101の後側壁となる規制壁部103が形成されている。
【００７５】
フィルタ枠部96には、微細塵フィルタ95の周囲に、図１に示す集塵カップ３を取り付けた際に取付枠76の後面の外周縁部に密着してプリーツフィルタ75の下流側との隙間を閉塞するシール部材104が取り付けられている。また、フィルタ枠部96の上部には、側面視台形状の補強用の一対のリブ105が、嵌合凹部94の前方に位置してそれぞれ突設されている。
【００７６】
このため、集塵カップ３を集塵室Ｒに取り付けた状態で、集塵カップ３の係止部79の先端部がフィルタ枠部96を越えて嵌合凹部94の前側からこの嵌合凹部94内に、突出部102の上方にて突出している。
【００７７】
また、本体蓋６は、閉じた状態で上ケース86の内側部91を覆う被覆部106と、この被覆部106と一体に設けられ本体蓋６を閉じた状態で集塵室Ｒの開口５を閉塞する蓋本体部107とを備えている。
【００７８】
被覆部106の後端部には、各蓋軸支凹部92に軸支される一対の軸支部111，111が幅方向の中心側へと互いに対向するように突設されている。また、被覆部106には、本体蓋６を閉じた状態で目詰まり報知部93が露出する丸孔状の露出孔部112が穿設されている。さらに、被覆部106の背面すなわち裏面の前側寄りの位置には、嵌合凹部94に嵌合可能な検知体としての可動体113と、この可動体113の前方に位置し蓋本体部107に亘って左右方向に連続する仕切壁部114とがそれぞれ設けられている。
【００７９】
可動体113は、集塵カップ３が集塵室Ｒに取り付けられているかどうか、あるいは、集塵室Ｒに取り付けられた集塵カップ３にフィルタ体18が装着されているかどうかを、係止部79を介して検知するものであり、四角形板状に形成され、前後方向に主面を向けるように、すなわち厚み方向が前後となるように、上端部に左右に亘って形成された回動軸116が被覆部106に取付部材117を介して回動可能に軸支されている。
【００８０】
また、可動体113は、嵌合凹部94の幅寸法である両側壁部98，98間の距離よりも小さい幅寸法を有している。さらに、可動体113の回動軸116の下方には、取付部材117が挿通される挿通孔部118が形成されている。そして、可動体113の前面には、上下方向の中間部から下端に亘って、可動体113の厚みが薄くなるように傾斜した傾斜面119が形成されている。
【００８１】
そして、この可動体113は、集塵カップ３が集塵室Ｒに取り付けられていない場合、あるいは、フィルタ体18が集塵カップ３に装着されていない場合に先端部が嵌合凹部94の溝部101に嵌合して規制壁部103に当接することで本体蓋６のストッパとなり、フィルタ体18が装着された集塵カップ３が集塵室Ｒに取り付けられている場合に係止部79に当接して嵌合凹部94に収容されて本体蓋６を完全に閉めることを可能とする。すなわち、この可動体113は、報知手段である本体蓋６の一部であるとともに、集塵カップ３が集塵室Ｒに取り付けられていない状態、あるいは、フィルタ体18が集塵カップ３に装着されていない状態を検知する検知手段120を、係止部79および嵌合凹部94とともに構成するものである。
【００８２】
なお、この可動体113の本体蓋６への取り付け位置、長さ寸法および傾斜面119の角度などは、嵌合凹部94の位置、溝部101の深さおよび前後幅などに応じて適宜設定されている。
【００８３】
回動軸116は、付勢手段としての図示しないトーションばねなどにより前方に向けて付勢されている。
【００８４】
取付部材117は、取付底部121と、この取付底部121の両側部から立ち上がる一対の取付側部122（一方のみ図示）と、取付底部121の前端部から立ち上がり取付側部122間に連続する取付前側部123と、取付底部121の後端部から立ち上がり取付側部122間に連続する取付後側部124とにより、上側が開放されたフレーム状に形成されている。
【００８５】
取付底部121の前側寄りの位置には、被覆部106の裏面から下方に突設されたボス126に取付部材117を螺子Ｓにて螺子止めするための螺子孔127を有する螺子部128が穿設されているとともに、この螺子部128の後部に連続して、可動体113の前方への回動を規制するストッパ部129が突設されている。
【００８６】
各取付側部122には、挿通孔部118に挿通されて回動軸116を下側から支持し、この回動軸116を本体蓋６の被覆部106との間で回動可能に軸支する軸支凹部131（一方のみ図示）がそれぞれ上端部から切り欠き形成されている。この軸支凹部131は、下端部が回動軸116の形状に対応した円弧状に形成されている。
【００８７】
取付後側部124は、軸支凹部131の下端部の円弧状部分の中心からの距離が可動体113の回動軸116から挿通孔部118までの距離よりも小さくなるように形成され、可動体113が後方に回動した際に、挿通孔部118に干渉しないように構成されている。
【００８８】
仕切壁部114は、本体蓋６を閉じた状態で、その下端部が集塵カップ３のフィルタ装着部25の上面に当接するように突設されている。
【００８９】
蓋本体部107は、被覆部106の両側部から前方へと連続し、両側方および前方へと緩やかに湾曲している。また、蓋本体部107は、例えば外周縁部の裏面側に、図示しない突起部が設けられ、この突起部が上ケース86の集塵室Ｒの開口５の縁部に沿って設けられた図示しない嵌合部に嵌合することなどにより、本体蓋６を完全に閉じた際にクリック感が発生するように構成されている。
【００９０】
次に、上記第１の実施の形態の動作を説明する。
【００９１】
電気掃除機の使用に際しては、まず、集塵カップ３を組み立てる。すなわち、集塵カップ３には、集塵部本体15に分離体16とフィルタ体18とを予め装着しておく。
【００９２】
分離体16を取り付けていない状態では、図７に示すように、検出体55が、フィルタ体用ロック部55cが切欠孔部36aの図７に示す右側の縁部に当接した第１ロック位置となり、分離部用ロック部55bの側方延設部55gが集塵部本体15の嵌合切欠部57から嵌合段部28の側方に突出して、開閉蓋17にて廃棄開口23を閉塞できなくなっている。また、フィルタ体18が取り外されている状態からこのフィルタ体18を集塵部本体15に取り付けようとした場合、フィルタ体用ロック部55cがフィルタ体18の囲み部82の囲み壁部82aに当接してフィルタ体18をフィルタ装着部25に取り付けできなくなっている。
【００９３】
分離体16の取り付けに際しては、開閉蓋17を開けた状態で廃棄開口23すなわち下側から分離体16を上側へと挿入すると、整流体45などが保持枠部27に保持されるとともに、被嵌合部51の補強リブ51cと被嵌合垂直部51bとが嵌合段部28の水平部28aと垂直部28bとにそれぞれ嵌合保持されることで、分離体16が集塵部本体15内に固定される。
【００９４】
このとき、分離体16のロック解除リブ51dが、挿入孔部54f、係止挿入孔55dおよび突出挿入孔部54gに挿入され、リブ傾斜面51eがガイド傾斜面55jに当接することで、分離体16の挿入に伴いロック解除リブ51dが上方向に進出するに従って、図８に示すように、検出体55がばね56の弾性に抗して図８に示す左側へと摺動してロック解除位置に移動し、分離部用ロック部55bの側方延設部55gが被嵌合部51よりも突出しなくなるので、廃棄開口23が開閉蓋17にて閉塞可能となる。
【００９５】
なお、フィルタ体18を集塵部本体15のフィルタ装着部25に係止固定した状態で分離体16を集塵部本体15から取り外してしまった場合には、図９に示すように、ばね56が若干伸びて検出体55のフィルタ体用ロック部55cが囲み壁部82aに当接することで、側方延設部55gが嵌合切欠部57から集塵部本体15の嵌合段部28の側方に突出し、開閉蓋17にて廃棄開口23を閉塞できなくなる。
【００９６】
さらに、分離体16を取り付けた集塵部本体15に対して、フィルタ体18の塵落とし機構部と反対側を集塵部本体15の排気口24から挿入して押し込むと、フィルタ体用ロック部55cが囲み部82内に挿入されてフィルタ体18のフィルタ装着部25への取り付けを妨げず、係止部79の係合孔83にフィルタ装着部25の係止突部84が挿入され、フィルタ体18がフィルタ装着部25に係止固定される。
【００９７】
そして、開閉蓋17にて廃棄開口23を閉塞し、かつ、フィルタ体18をフィルタ装着部25に取り付けた集塵カップ３を、掃除機本体１の本体蓋６を後方上側へ回動させて開口５を露出させた集塵室Ｒ内に挿入して取り付け、本体蓋６を前方下側へ回動させる。
【００９８】
このとき、図１１に示すように、上ケース86のフィルタ枠部96を越えて嵌合凹部94内に突出した係止部79の上端部に可動体113の傾斜面119が当接してこの可動体113がトーションばねの付勢力に抗して後方に回動することで、可動体113の先端部が溝部101に嵌合することなく後方へと回動して嵌合凹部94内へと収納され、本体蓋６が完全に閉じる。
【００９９】
なお、開閉蓋17が完全に閉じていない集塵カップ３を集塵室Ｒに取り付けた際には、係止部79が集塵室Ｒの開口５から上方に突出することで、本体蓋６にて集塵室Ｒを閉塞できない。
【０１００】
この後、電源コード14を図示しないコンセントに接続し、本体吸込口７にホース体８、延長管12および床ブラシ13を順次接続して、手元操作部９の手元把持部10を把持して所定の設定ボタン11を操作すると、制御回路により電動送風機２が所定の動作モードに駆動される。
【０１０１】
作業者は、床ブラシ13を床面上で前後に走行させて床面上の塵埃を空気とともに吸い込む。
【０１０２】
この吸い込まれた空気は吸込風となり、床ブラシ13から延長管12、ホース体８および本体吸込口７へと塵埃とともに順次流れ、吸込開口21から集塵カップ３内に吸い込まれる。
【０１０３】
さらに、この吸い込まれた吸込風は、図１に示すように、円筒部22を経由して分離部44へと流入し、この分離部44にて整流体45と分離部用凹部43とにより流速を早められ、比較的重量が大きい粗塵は、この吸込風とともに分離部44を直進して連通開口46から粗塵収容部47内へと捕集されるとともに、比較的重量が小さい細塵は、吸込風がメッシュフィルタ62を通過する際にこのメッシュフィルタ62に捕集される。
【０１０４】
粗塵とともに粗塵収容部47に流入した吸込風は、各フィルタ65，67を通過する際に細塵がさらに捕集されるとともに、圧縮用フィルタ67を通過する吸込風は、粗塵収容部47に収容された粗塵を圧縮用フィルタ67に押し付けることでこの粗塵の容積を圧縮する。
【０１０５】
そして、各フィルタ65，67を通過した吸込風は、メッシュフィルタ62を通過した吸込風とともに、プリーツフィルタ75を通過して排気口24から集塵カップ３の外部に排気され、集塵室Ｒの後部の微細塵フィルタ95により微細塵がさらに捕集され、電動送風機２に吸い込まれる。
【０１０６】
この後、吸込風は、電動送風機２を通過して排気風となり、図示しない排気孔から掃除機本体１の外部へと排気される。
【０１０７】
掃除中に粗塵収容部47がいっぱいとなったり、プリーツフィルタ75などの各種フィルタが目詰まりしたりした場合には、目詰まり報知部93が動作して作業者に報知される。
【０１０８】
このとき、作業者は電動送風機２を停止させ、本体蓋６を回動させて開口５を開けて集塵カップ３を集塵室Ｒから取り外し、塵落とし機構部を操作してプリーツフィルタ75にて捕集した微細塵を細塵収容部80に落とした後、ごみ箱などの上で開閉機構部68の開閉ボタン74を押し、開閉蓋17の係脱突部69の係合を解除することで、開閉蓋17が被軸支部を中心として自重で回動し、粗塵収容部47と細塵収容部80とが同時に開放され、収容されていた粗塵と細塵とが廃棄開口23からごみ箱に落ちて廃棄される。なお、フィルタ体18のプリーツフィルタ75を手入れする際には、集塵部本体15からフィルタ体18を取り外して塵落とし機構部を操作して別個に手入れしてもよい。
【０１０９】
また、集塵カップ３の手入れの際には、廃棄開口23から分離体16を集塵部本体15の前側に向けて廃棄開口23から傾斜状に引き出す。
【０１１０】
この取り外した分離体16は、例えば水などにより各フィルタ62，65，67を逆洗することで、これらフィルタ62，65，67の目詰まりを解消する。
【０１１１】
取り外した分離体16は、充分に乾燥させた後、取り外し時と逆の操作で集塵部本体15に再度取り付け、開閉蓋17を閉じる。
【０１１２】
そして、フィルタ体18を集塵部本体15から取り外した際には、このフィルタ体18もフィルタ装着部25に装着した状態で、集塵カップ３を集塵室Ｒに再度取り付ける。
【０１１３】
上述したように、上記第１の実施の形態によれば、分離部44を有する分離体16を集塵部本体15に取り付けていない状態では、開閉蓋17が廃棄開口23を閉塞しないので、この開閉蓋17が閉じないことにより分離部44を有する分離体16が集塵カップ３に取り付けられていないことを作業者に報知でき、分離体16を集塵部本体15に取り付けないままの状態で集塵カップ３を誤使用してしまうことを防止できる。
【０１１４】
さらに、分離部44を有する分離体16を集塵部本体15に取り付けていない状態では、排気口24にフィルタ体18が取り付けられないので、このフィルタ体18が取り付けられないことにより分離部44を有する分離体16が集塵カップ３に取り付けられていないことを作業者に報知でき、分離体16を集塵部本体15に取り付けないままの状態で集塵カップ３を誤使用してしまうことを防止できる。
【０１１５】
そして、フィルタ体18を集塵部本体15に取り付けない状態では、本体蓋６が集塵室Ｒを閉塞しないことで、この本体蓋６が閉じないことにより分離体16が集塵カップ３に取り付けられていないことを検知手段120により間接的に検知して作業者に報知でき、分離体16を取り付けないままの集塵カップ３を誤って集塵室Ｒに装着して電気掃除機を使用することをも防止できる。
【０１１６】
しかも、検知手段120は、集塵カップ３を集塵室Ｒに取り付けない状態でも本体蓋６にて集塵室Ｒを閉塞させないため、この本体蓋６が閉じないことにより集塵カップ３が集塵室Ｒに取り付けられていないことをも作業者に報知でき、集塵カップ３を集塵室Ｒに装着しないままの状態で電気掃除機を使用することをも防止できる。
【０１１７】
さらに、開閉蓋17が閉じていない集塵カップ３を集塵室Ｒに取り付けた状態では、開閉蓋17により集塵カップ３の上端部が集塵室Ｒから上方に突出し、本体蓋６が集塵室Ｒを閉塞しないため、この本体蓋６が閉じないことにより分離体16が集塵カップ３に取り付けられていないことを作業者に報知できる。
【０１１８】
すなわち、開閉蓋17、フィルタ体18および本体蓋６のそれぞれが、分離体16の取り付け忘れを作業者に報知する多重の保護手段となるので、分離体16の取り付け忘れを確実に防止でき、電気掃除機の使い勝手が向上する。
【０１１９】
特に、集塵カップ３、分離体16およびフィルタ体18をそれぞれ取り外し可能として集塵カップ３の手入れなどを容易とした電気掃除機では、集塵カップ３を集塵室Ｒに取り付け忘れたり、分離部44を有する分離体16あるいはフィルタ体18を取り付け忘れたまま集塵カップ３を集塵室Ｒに取り付けたりするおそれがあるので、上記第１の実施の形態のように構成することで、集塵カップ３を集塵室Ｒに取り付けないで掃除したり、分離体16あるいはフィルタ体18を装着していない集塵カップ３を集塵室Ｒに取り付けて掃除したりすることで電動送風機２に塵埃を吸い込んで電動送風機２を傷めることなどを確実に防止できる。
【０１２０】
また、分離体16を取り付けない集塵部本体15に対して開閉蓋17が閉じない構成、あるいは、フィルタ体18が取り付けられない構成を、各ロック部55b，55cを備えた検出体55、ばね56および囲み部82などにより形成することで、これら構成を安価にできる。
【０１２１】
さらに、プリーツフィルタ75にて捕集した細塵を細塵収容部80へと落とす塵落とし傾斜面81に設けた囲み部82の上部の囲み壁部82cを塵落とし傾斜面81と同様に前側へと下方に傾斜させることで、プリーツフィルタ75から細塵収容部80へと落とされる細塵が囲み壁部82cに付着しにくくなる。
【０１２２】
また、本体蓋６を、集塵室Ｒの開口５を閉じないことで集塵カップ３が集塵室Ｒに取り付けられていない状態と、集塵室Ｒに取り付けた集塵カップ３に分離体16あるいはフィルタ体18が装着されていない状態とのいずれか一方を検知手段120が検知した時に報知する報知手段として使用することにより、報知手段としてブザーなどを別個に設けたりする場合と比較して、報知手段を容易に構成できるとともに、報知の視認性を向上できる。
【０１２３】
さらに、フィルタ体18を集塵部本体15に係止する係止部79を介してフィルタ体18の集塵カップ３への装着状態を直接的に、かつ、分離体16の集塵カップ３への装着状態を間接的に、可動体113が検知可能とすることで、フィルタ体18の係止部79を有効に利用して、集塵カップ３を取り付けない状態および分離体16あるいはフィルタ体18を集塵カップ３に装着しない状態を、本体蓋６に設けた可動体113により確実に検知できる。
【０１２４】
具体的に、本体蓋６の背面側に前側に付勢した状態で回動可能に設けた可動体113が、集塵カップ３が集塵室Ｒに取り付けられていない場合と、集塵室Ｒに取り付けた集塵カップ３にフィルタ体18が装着されていない場合とに、上ケース86に設けた嵌合凹部94の溝部101に嵌合して本体蓋６が完全に閉まらないようにするストッパとなり、フィルタ体18の係止部79が集塵室Ｒ内に位置している場合にのみ、この係止部79が可動体113に当接してこの可動体113が嵌合凹部94に収容されて本体蓋６が完全に閉まるように構成することにより、報知手段と検知手段120とを簡単な構成とすることができ、製造性を向上できる。
【０１２５】
すなわち、報知手段である本体蓋６の可動体113が嵌合凹部94の溝部101とフィルタ体18の係止部79とで検知手段120をなすので、本体蓋６を報知手段と検知手段120の一部とに兼用することとなり、報知手段と検知手段とを別個に設ける場合と比較して、構成を簡略化できる。
【０１２６】
特に、フィルタ体18が、細塵側フィルタであるプリーツフィルタ75を集塵カップ３に着脱するものであることにより、細塵を捕集するプリーツフィルタ75がない状態で集塵カップ３を集塵室Ｒに取り付けて誤使用して細塵が電動送風機２に吸い込まれてしまうことを、確実に防止できる。
【０１２７】
しかも、本体蓋６の背面に可動体113を設けることで、可動体113により電気掃除機の見栄えを損なうこともなく、また、本体蓋６を閉める際には可動体113に作業者が触れにくくなるので、集塵カップ３を集塵室Ｒに取り付けない状態、分離体16あるいはフィルタ体18を取り付けない集塵カップ３を集塵室Ｒに取り付けた状態で、本体蓋６の開閉時に可動体113を誤って動作させてしまうことなども確実に防止でき、確実な検知および報知が可能になる。
【０１２８】
次に、第２の実施の形態を図１５を参照して説明する。なお、上記第１の実施の形態と同様の構成および作用については、同一符号を付してその説明を省略する。
【０１２９】
この第２の実施の形態は、上記第１の実施の形態の検知手段120を設けることに代えて、分離部44を有する分離体16を取り付けていない集塵カップ３を集塵室Ｒに取り付けられないように構成したものである。
【０１３０】
すなわち、この第２の実施の形態では、集塵室Ｒの幅寸法が集塵カップ３の幅寸法と略等しく形成されている。
【０１３１】
この結果、分離体16を取り付けていない集塵カップ３が、側方に突出する検出体55の側方延設部55gが集塵室Ｒの側部に当接することで集塵室Ｒに取り付けられないことで、分離部44を有する分離体16の集塵部本体15への取り付け忘れを作業者に報知し、上記第１の実施の形態と同様に分離部44を有する分離体16の取り付け忘れを防止できるとともに、検知手段120を設ける場合と比較して構成をより簡略化できる。
【０１３２】
次に、第３の実施の形態を図１６ないし図１８を参照して説明する。なお、上記第１の実施の形態と同様の構成および作用については、同一符号を付してその説明を省略する。
【０１３３】
この第３の実施の形態は、上記第１の実施の形態の検知手段120を設けることに代えて、フィルタ体18を取り付けていない集塵カップ３を集塵室Ｒに取り付けられないように構成したものである。
【０１３４】
すなわち、図１６および図１７に示すように、集塵部本体15の保持枠部27の一側部には、スリット部135が前後方向に沿って切り込み形成され、このスリット部135の側部には、フィルタ装着検知手段136が取り付けられている。
【０１３５】
このフィルタ装着検知手段136は、フィルタ装着部25に固定されたケース部141、このケース部141とフィルタ装着部25との間に収容された検出片142、および、この検出片142を後方向に付勢する付勢ばね143を備えている。
【０１３６】
ケース部141は、上面部145、下面部146、前面部147、側面部148および後面部149を有し、フィルタ装着部25との間で検出片142を収容する空間部を区画する蓋状に形成され、後面部149には、後方に開口した開口部151が突設されている。この開口部151は、スリット部135に対応してこのスリット部135に連通する位置に設けられている。
【０１３７】
検出片142は、開口部151から後方に突出する突出先端部153と、この突出先端部153の前部に設けられた抜け止め部154とを有している。
【０１３８】
突出先端部153は、スリット部135の側方にて開口部151から後方に突出している。
【０１３９】
抜け止め部154は、突出先端部153に対して上下方向に大きく形成され、ケース部141とフィルタ装着部25との間で前後方向に摺動可能に収容されている。さらに、この抜け止め部154は、後面部149の前側に当接することにより、検出片142の後側への最大摺動位置を規制している。
【０１４０】
付勢ばね143は、ケース部141の前面部147と検出片142の抜け止め部154との間に配設され、その弾性力が、フィルタ体18を集塵部本体15に対して保持する保持力よりも小さく設定されている。
【０１４１】
一方、フィルタ体18の取付枠76の一側部には、スリット部135に対応する位置に、このスリット部135に嵌合可能なリブ155が前後方向に突設されている。このリブ155は、フィルタ体18のフィルタパッキン77よりも後側寄りに位置している。
【０１４２】
そして、フィルタ体18を集塵部本体15に取り付けると、図１７(b)に示すように、リブ155がスリット部135（図１６）に嵌合して検出片142の突出先端部153に当接し、付勢ばね143の弾性力に抗してこの付勢ばね143を押し縮めながら検出片142をケース部141内の前側へと押し込むことで、検出片142の突出先端部153が集塵部本体15の後方に突出せず、集塵カップ３を集塵室Ｒに取り付け可能となる。
【０１４３】
一方、フィルタ体18を集塵部本体15に取り付けない状態では、図１７(a)に示すように、検出片142の突出先端部153が排気口24よりも後方に突出することで、図１８に示すように、集塵カップ３を集塵室Ｒに取り付ける際に、この突出先端部153が集塵室Ｒの上縁部に当接して、集塵カップ３を掃除機本体１に取り付けられないことにより、フィルタ体18の集塵部本体15への取り付け忘れを作業者に報知し、上記各実施の形態と同様にフィルタ体18の取り付け忘れを防止できる。
【０１４４】
なお、上記第３の実施の形態において、突出先端部153を含むフィルタ装着検知手段136およびスリット部135などは、掃除機本体１側に設けることも可能である。
【０１４５】
また、上記各実施の形態においては、分離体16が集塵部本体15に取り付けられていない場合に、開閉蓋17が閉じない構成と、フィルタ体18が取り付けられない構成との両方を有しているが、いずれか一方のみを有する構成とすることも可能である。
【０１４６】
さらに、分離体16、あるいはフィルタ体18の集塵部本体15への取り付けを検出する各種構成は、上記に限定されるものではない。
【０１４７】
例えば、上記各実施の形態では、分離部用ロック部55bとフィルタ体用ロック部55cとを一つの検出体55に一体に設けたが、分離部用ロック部55bとフィルタ体用ロック部55cとをそれぞれ別個に設け、分離部44を有する分離体16を集塵部本体15に取り付けていない状態では、これらロック部55b，55cにより、開閉蓋17による廃棄開口23の閉塞とフィルタ体18のフィルタ装着部25への取り付けとを別個にロック可能にするとともに、分離部44を有する分離体16を集塵部本体15に取り付けた状態ではこれらロック部55b，55cを互いに連動させてロックを解除する構成などとしても、上記各実施の形態と同様の作用効果を奏することが可能である。
【０１４８】
さらに、上記各実施の形態では、分離体16に分離部44と粗塵収容部47とを一体に設けたが、分離部44のみを有する構成でも上記各実施の形態と同様の作用効果を奏することが可能である。
【０１４９】
そして、報知手段としては、本体蓋６を用いる構成の他に、所定の報知手段を設ける構成など、他の様々な構成とすることができる。
【０１５０】
また、検知手段は、可動体113を用いる他にも、様々な構成とすることができ、必ずしも本体蓋６に設けられている必要はない。
【０１５１】
さらに、集塵カップ３および電気掃除機の細部は、上記構成に限定されるものではない。
【０１５２】
そして、電気掃除機としては、キャニスタ型に限らず、例えば自走式の電気掃除機などでもよく、また、例えば床ブラシ13が掃除機本体１の下面に直接形成されたアップライト型、あるいはハンディ型などであっても対応させて用いることができる。
【図面の簡単な説明】
【０１５３】
【図１】本発明の第１の実施の形態の電気掃除機用集塵装置を示す縦断面図である。
【図２】同上電気掃除機用集塵装置を示す斜視図である。
【図３】同上電気掃除機用集塵装置の分離部を示す斜視図である。
【図４】同上分離部を背面側から示す斜視図である。
【図５】同上電気掃除機用集塵装置の他の要部を示す斜視図である。
【図６】同上電気掃除機用集塵装置の要部を示す分解斜視図である。
【図７】(a)は同上電気掃除機用集塵装置に分離部およびフィルタ体を取り付けていない状態を示す平面図であり、(b)は同上正面図である。
【図８】(a)は同上電気掃除機用集塵装置に分離部およびフィルタ体を取り付けた状態を示す平面図であり、(b)は同上正面図である。
【図９】(a)は同上電気掃除機用集塵装置に分離部およびフィルタ体を取り付けた状態から分離部を取り外した状態を示す平面図であり、(b)は同上正面図である。
【図１０】同上電気掃除機用集塵装置を備えた電気掃除機の要部を示す斜視図である。
【図１１】同上電気掃除機の蓋体が閉じた状態を示す縦断面図である。
【図１２】同上電気掃除機の蓋体が閉じていない状態を示す縦断面図である。
【図１３】同上電気掃除機の蓋体が閉じていない状態を示す斜視図である。
【図１４】同上電気掃除機を示す斜視図である。
【図１５】本発明の第２の実施の形態の電気掃除機の要部を示す説明正面図である。
【図１６】本発明の第３の実施の形態の電気掃除機の要部を示す分解斜視図である。
【図１７】(a)は同上電気掃除機用集塵装置にフィルタ体を取り付けていない状態の要部を示す斜視図であり、(b)は、同上電気掃除機用集塵装置にフィルタ体を取り付けた状態の要部を示す斜視図である。
【図１８】同上電気掃除機の要部を示す説明側面図である。
【符号の説明】
【０１５４】
１    掃除機本体
２    電動送風機
３    電気掃除機用集塵装置としての集塵カップ
６    蓋体としての本体蓋
15    集塵部本体
17    集塵部蓋体としての開閉蓋
18    フィルタ体
21    吸込開口
23    廃棄開口
24    排気口
44    分離部
Ｒ    集塵室
【図１】
2007061437.tif 000003
【図２】
2007061437.tif 000004
【図３】
2007061437.tif 000005
【図４】
2007061437.tif 000006
【図５】
2007061437.tif 000007
【図６】
2007061437.tif 000008
【図７】
2007061437.tif 000009
【図８】
2007061437.tif 000010
【図９】
2007061437.tif 000011
【図１０】
2007061437.tif 000012
【図１１】
2007061437.tif 000013
【図１２】
2007061437.tif 000014
【図１３】
2007061437.tif 000015
【図１４】
2007061437.tif 000016
【図１５】
2007061437.tif 000017
【図１６】
2007061437.tif 000018
【図１７】
2007061437.tif 000019
【図１８】
2007061437.tif 000020